(57)【要約】【課題】塵埃発見器において、除去前の塵埃を目視で十分に確認可能として、塵埃除去の作業範囲を確認させ、また、一般に市販されている各種の塵埃除去機器に適用可能とすることにある。【解決手段】塵埃発見器１６の発見器本体１８には、塵埃を照らすための光を発生する発光手段２４と、発光手段２４に電力を供給する電力供給手段２２と、塵埃除去機器１に着脱可能に取り付けるための着脱手段１７とを備えている。【選択図】図１
2018108291.tif 000002
【特許請求の範囲】
【請求項１】
塵埃を照らして人に目視させる塵埃発見器において、発見器本体には、塵埃を照らすための光を発生する発光手段と、前記発光手段に電力を供給する電力供給手段と、塵埃除去機器に着脱可能に取り付けるための着脱手段とを備えることを特徴とする塵埃発見器。
【請求項２】
塵埃を照らして人に目視させる塵埃発見器において、発見器本体には、塵埃を照らすための光を発生する発光手段と、前記発光手段に電力を供給する電力供給手段と、塵埃除去機器に着脱可能に取り付けるための着脱手段と、塵埃を検出する塵埃検出手段と、前記発光手段を動かすための方向変更用作動手段と、前記発光手段を制御する制御手段とを備え、前記制御手段は、前記塵埃検出手段が塵埃を検出したときに、前記発光手段の光を塵埃が存在する方向へ向かうように前記方向変更用作動手段を作動制御することを特徴とする塵埃発見器。
【発明の詳細な説明】
【技術分野】
【０００１】
この発明は、塵埃発見器に係り、除去前の塵埃を目視可能とする塵埃発見器に関する。
【背景技術】
【０００２】
従来、塵埃除去機器としての電気掃除機は、床面上のゴミやほこり等からなる塵埃を、ヘッド部（ノズル部）の下方に開口した吸塵口から吸い込んで除去するために用いられている。
電気掃除機には、作業者の足元を照らすための照明具が取り付けられたものや、ヘッド部の吸塵口付近で塵埃検出手段（ゴミセンサ）が取り付けられたものがある。
【先行技術文献】
【特許文献】
【０００３】
【特許文献１】特開２０１６−１３４２８８号公報
【発明の概要】
【発明が解決しようとする課題】
【０００４】
ところが、従来、電気掃除機において、作業者の足元を照らすための照明具を取り付けたものにあっては、暗いスペースを照らすだけであり、また、塵埃検出手段を取り付けたものにあっては、塵埃を集塵袋（ゴミパック）に回収した状態でのみ目視するだけであり、このため、床面上の塵埃を除去前に十分に目視することができず、塵埃除去の作業範囲を確認することが困難であった。
また、照明具や塵埃検出手段が特定の電気掃除機のみに一体的に取り付けられていることから、一般に市販されている各種の電気掃除機にその照明具や塵埃検出手段を適用することができなかった。
【０００５】
そこで、この発明は、除去前の塵埃を目視で十分に確認可能として、塵埃除去の作業範囲を確認させることができ、また、一般に市販されている各種の塵埃除去機器に適用可能とする塵埃発見器を提供することを目的とする。
【課題を解決するための手段】
【０００６】
この発明は、塵埃を照らして人に目視させる塵埃発見器において、発見器本体には、塵埃を照らすための光を発生する発光手段と、前記発光手段に電力を供給する電力供給手段と、塵埃除去機器に着脱可能に取り付けるための着脱手段とを備えることを特徴とする。
【発明の効果】
【０００７】
この発明は、発光手段からの光で除去前の塵埃をはっきり照らすことから、除去前の塵埃を目視で十分に確認可能として、塵埃除去の作業範囲を確認させることができ、また、着脱可能とすることから、一般に市販されている各種の塵埃除去機器に適用可能とする。
【図面の簡単な説明】
【０００８】
【図１】図１は塵埃を人に目視させるときの概略説明図である。（実施例１）
【図２】図２は電気掃除機の構成図である。（実施例１）
【図３】図３は電気掃除機のヘッド部に対して塵埃発見器を着脱する際の構成図である。（実施例１）
【図４】図４（Ａ）は１個の発光体を備えた塵埃発見器の正面図である。図４（Ｂ）は複数個の発光体を備えた塵埃発見器の正面図である。（実施例１）
【図５】図５は塵埃発見器の電気回路図である。（実施例１）
【図６】図６は塵埃発見器をヘッド部から取り外して伸縮アームで携帯可能としたときの構成図である。（実施例１）
【図７】図７は水槽内を探査する探査機に塵埃発見器を取り付けた構成図である。（実施例２）
【図８】図８は塵埃発見器を取り付けた探査機の電気回路図である。（実施例２）
【図９】図９は円盤状の塵埃発見器の平面図である。（実施例３）
【図１０】図１０は図９の矢印Ｘによる塵埃発見器の側面図である。（実施例３）
【発明を実施するための形態】
【０００９】
この発明は、除去前の塵埃を目視で十分に確認可能として、塵埃除去の作業範囲を確認させ、また、一般に市販されている各種の塵埃除去機器に適用可能とする目的を、発光手段からの光で塵埃をはっきり照らし、また、着脱手段で着脱可能に取り付けて実現するものである。
【実施例１】
【００１０】
図１〜図６は、この発明の実施例１を示すものである。
図２に示すように、塵埃除去機器としての電気掃除機１は、一般に市販されているものであって、掃除機本体２と、ホース部３と、ヘッド部（ノズル部）４とからなる。
掃除機本体２には、モータ５や集塵袋（ゴミパック）などが備えられ、電気コード６が接続され、走行車輪７が取り付けられる。
ホース部３は、掃除機本体２に対して着脱可能に接続される蛇腹状のホース８と、ホース８の先端側のスイッチ部９を介して接続される延長パイプ１０とからなる。
ヘッド部４は、図１に示すように、ヘッドカバー１１と、ヘッドカバー１１内の回転ブラシ１２と、ヘッドカバー１１に取り付けられて延長パイプ１０を接続させる接続パイプ１３と、ガイドローラ１４と、下方に開口した吸塵口１５とを備える。
【００１１】
ヘッド部４には、図１、図３に示すように、塵埃発見器１６が取り付けられる。
塵埃発見器１６は、例えば、ヘッドカバー１１に着脱手段１７によって着脱可能に取り付けられる。
塵埃発見器１６は、所要の形状として、例えば、ヘッド部４のヘッドカバー１１の上面で長手方向に沿うように、細長形状に形成された発見器本体１８を備える。なお、発見器本体１８の形状は、所望により種々変更が可能である。
着脱手段１７は、図３に示すように、例えば、面ファスナー１９からなり、発見器本体１８をヘッド部４のヘッドカバー１１の上面に着脱可能にする。面ファスナー１９は、例えば、ヘッドカバー１１の上面に背面が所定の固着手段（例えば、両面テープや接着剤）で固定されるループ面部１９Ａと、発見器本体１８の下面に背面が所定の固着手段（例えば、両面テープや接着剤）で固定されるフック面部１９Ｂとからなる。ループ面部１９Ａとフック面部１９Ｂとは、互いに係合・離脱するものである。
なお、発見器本体１８は、ヘッドカバー１１の上面に限られず、ヘッドカバー１１の前面や側面等にも取り付けることができ、また、延長パイプ１０などの他の箇所にも着脱可能に取り付けることができる。
また、着脱手段１７としては、面ファスナー１９に限らず、例えば、フック、ベルトなどで構成することも可能である。
【００１２】
発見器本体１８には、図５に示すように、ＵＳＢ接続部２０と、インバータ２１と、電力供給手段であるバッテリ２２と、電源スイッチ２３と、発光手段である発光体（光源）２４と、塵埃検出手段である塵埃検出センサ（ゴミセンサ）２５と、方向変更用作動手段である方向変更用アクチュエータ２６と、制御手段（ＥＣＵ）２７とが備えられる。
ＵＳＢ接続部２０は、外部からの電力を受け入れるものである。
インバータ２１は、ＵＳＢ接続部２０から受け入れた電流を整流してバッテリ２２へ送るものである。
バッテリ２２は、ＵＳＢ接続部２０から受け入れられた電力を充電可能であり、電力を蓄積するとともに、塵埃発見器１６の各部へ電力を供給する。
電源スイッチ２３は、バッテリ２２に接続され、塵埃発見器１６をオン又はオフするものであって、塵埃発見器１６の各部への電力を供給又は遮断するように操作される。
発光体２４は、例えば、ＬＥＤなどからなって朝日の光に近い白色を発生し、ヘッド部４の前方で且つ床面上の塵埃を照らすものである。発光体２４は、支持部２８に支持される。発光体２４は、発見器本体１８に、例えば、図４（Ａ）に示すように、１個だけ設置したり、又は、図４（Ｂ）に示すように、複数個設置することも可能である。
塵埃検出センサ２５は、例えば、発光素子・受光素子からなる光学的センサであり、塵埃で光が乱反射するなどにより、ヘッド部４の前方で且つ床面上の塵埃を検出可能なものである。塵埃検出センサ２５は、例えば、図３に示すように、発光体２４の近傍に配置される。なお、塵埃検出センサ２５としては、光学的センサ以外で、超音波センサなどの他のセンサとすることも可能である。
方向変更用アクチュエータ２６は、発光体２４の支持部２８に連結し、発光体２４からの光が上下左右のいずの方向へも変更できるように、支持部２８を動かすものである。
制御手段２７は、発光体２４を、点灯、消灯、あるいは点滅するように、制御するものである。
また、制御手段２７は、塵埃検出センサ２５が塵埃を検出したときに、方向変更用アクチュエータ２６を作動して発光体２４の支持部２８を動かし、発光体２４の光を塵埃の存在する方向へ向けるものである。
【００１３】
次いで、この実施例１に係る電気掃除機１の使用状態について説明する。
電気掃除機１の使用にあたっては、先ず、ヘッド部４に塵埃発見器１６を着脱手段１７によって取り付ける（図３参照）。
そして、電気掃除機１のスイッチ部９をオンにすると、電気掃除機１が作動し、また、塵埃発見器１６の電源スイッチ２３をオンにすると、塵埃発見器１６が作動して発光体２４が白色の光を発する。
そして、ヘッド部４を床面上で移動し、塵埃発見器１６の塵埃検出センサ２５が塵埃を検出したときに、制御手段２７が方向変更用アクチュエータ２６を作動制御して発光体２４の光を床面上に存在する塵埃（床面上に浮遊する塵埃も含む）の方向へ向けることから、図１に示すように、発光体２４からの光によって作業者が塵埃をはっきり目視することができる。つまり、発光体２４からの光が塵埃を照らすと、光の原理により、その光が塵埃で乱反射したりする等で、人の目にはその塵埃の存在がはっきり映るものである。
その後、作業者は、塵埃が存在する発光体２４の光の方向にヘッド部４を移動し、つまり、発光体２４の光の方向が作業方向を誘導することから、塵埃をはっきり目視させつつ、塵埃を除去させることができる。
これにより、除去前の塵埃を目視で十分に確認可能として、塵埃除去の作業範囲を確認させることができる。
【００１４】
一方、塵埃の除去作業を終了した後で、着脱手段１７によって塵埃発見器１６をヘッド部４から取り外した場合には、図６に示すように、例えば、塵埃発見器１６の係止具２９に伸縮アーム３０を取り付けて塵埃発見器１６を携帯可能とすることにより、持ち運びが簡便であり、また、床面上の塵埃に塵埃発見器１６からの光を近づけて照らすことが可能となり、塵埃発見器１６の汎用性を高くし、さらに、伸縮アーム３０の長さの調整を行い、光照射角度を変更したりして、塵埃の目視を一層高めることが可能となる。
【００１５】
なお、この実施例１においては、図５に示すように、制御手段２４に音発生器３１を接続し、塵埃検出センサ２５が塵埃を検出したときに、音発生器３１から音を発生させることにより、塵埃を発見させることも可能である。
また、制御手段２７は、塵埃検出センサ２５が塵埃を検出したときに、発光体２４を点滅するように制御することも可能である。
【００１６】
また、塵埃発見器１６をヘッド部４に着脱手段１７で取り付けることにより、塵埃発見器１６を、一般に市販されている各種の電気掃除機に、変更を加えることなく簡便に着脱可能に適用させることができ、また、廉価とすることができる。
【実施例２】
【００１７】
図７、図８は、この発明の実施例２を示すものである。
以下の実施例においては、上述の実施例１と同一機能を果たす箇所には、同一符号を付して説明する。
この実施例２の特徴とするところは、以下の点にある。即ち、塵埃発見器１６は、図７、図８に示すように、探査機４１に取り付けられる。探査機４１は、例えば、人が侵入不可能な水槽４２内で使用されるものである。探査機４１は、家屋の床下、地下室などにおいても使用が可能なものである。塵埃発見器１６は、上記の実施例１の構造と同じなので、ここでは、その説明を省略する。
探査機４１は、図８に示すように、遠隔操作者の通信機器４３からの指示信号を受ける受信部４４と、塵埃発見器１６の発光体２４からの光が存在する部位を撮影する撮像部４５と、撮像部４５の映像を外部の通信機器４３に送信する送信部４６と、撮像部４５の映像を記憶する記憶部４７とを備える。通信機器４３は、探査機４１の操作部や、遠隔操作者が見るための画面などを備える。
この実施例２の構造によれば、人が侵入不可能な箇所でも、塵埃発見器１６によって塵埃を検出させ、遠隔操作によって通信機器４３の画面で塵埃を確認したり、あるいは、探査機４１を水槽４２内から回収した後に、記憶部４７に記憶した映像で塵埃を確認することができ、簡便である。
【実施例３】
【００１８】
図９、図１０は、この発明の実施例３を示すものである。
この実施例３の特徴とするところは、以下の点にある。即ち、塵埃発見器１６は、図９、図１０に示すように、例えば、円盤状に形成された発見器本体１８を備え、発見器本体１８の外周面に複数個の発光体２４及び塵埃検出センサ２５を所定箇所に配置する。
この場合、発見器本体１８には、塵埃検出センサ２５の塵埃を検出した信号を受けて音を出すための音発生器４８を設置することも可能である。
この実施例３の構造によれば、３６０度の範囲で塵埃の検出をすることができ、簡便であり、また、塵埃を音によって確認可能とする。
【産業上の利用可能性】
【００１９】
この発明に係る塵埃発見器を、各種の機器に適用可能である。
【符号の説明】
【００２０】
１  電気掃除機
２  掃除機本体
４  ヘッド部
１１  ヘッドカバー
１５  吸塵口
１６  塵埃発見器
１７  着脱手段
１８  発見器本体
１９  面ファスナー
１９Ａ  ループ面部
１９Ｂ  フック面部
２２  バッテリ（電力供給手段）
２３  電源スイッチ
２４  発光体（発光手段）
２５  塵埃検出センサ（塵埃検出手段）
２６  方向変更用アクチュエータ（方向変更用作動手段）
２７  制御手段（ＥＣＵ）
【図１】
2018108291.tif 000003
【図２】
2018108291.tif 000004
【図３】
2018108291.tif 000005
【図４】
2018108291.tif 000006
【図５】
2018108291.tif 000007
【図６】
2018108291.tif 000008
【図７】
2018108291.tif 000009
【図８】
2018108291.tif 000010
【図９】
2018108291.tif 000011
【図１０】
2018108291.tif 000012